(57)【特許請求の範囲】
【請求項１】
浴槽本体１の背もたれとなる後側内壁面２が、後ろ上がりの傾斜面に形成されており、
浴槽本体１の内底面３が、前上がりの傾斜面に形成されており、
浴槽本体１の内底面３に、左右幅方向に走る段部５が前後間にわたって所定間隔置きに突出形成されており、
浴槽本体１の内底面３において、隣接する段部５・５間の段面３ａが水平面に形成されている溺死防止用浴槽。
【請求項２】
浴槽本体１の後ろ側には、後側内壁面２の下端から前方に向けて張り出し形成した半身浴用の上げ底面６が形成されており、
上げ底面６の前端と、これよりも低い浴槽本体１の内底面３とが、立側壁７でつながっており、
上げ底面６が、前上がりの傾斜面に形成されている請求項１記載の溺死防止用浴槽。 
【発明の詳細な説明】
【０００１】
【発明の属する技術分野】
本発明は、入浴者が入浴中に失神状態に陥って溺死する事故を防止する溺死防止用浴槽に関する。
【０００２】
【従来の技術】
政府発表の平成９年の人口動態統計によると、一般家庭内の入浴中における溺死者は、２８９１名に及ぶ。心臓疾患者および高齢者が、温度差による急激な血圧変化に耐えきれず、失神状態に陥って溺死していることによる。しかるに、高齢化社会に対応するために、浴室のバリアフリー化、浴槽のまたぎ込み高さの制限、浴室壁面へのグリップの設置、浴槽内底面の滑り止めの設置などが各種検討されている。しかし、入浴中の溺死防止対策に関しては、関心が払われていないのが実情である。
【０００３】
僅かに関連公知技術として特開平６−２３３８０２号公報、実用新案登録第３０５４８８６号公報、実開昭５９−１３４４８８号公報を認めることができる。これらは、入浴者がリラックスして入浴できるよう、浴槽内に背もたれ具を別途付設するものである。そこにおいては、入浴者が背もたれ具に背もたれ状態で入浴中に、湯船内に足元側へ滑り落ちないようにした配慮がなされており、これが溺死防止用にもなる点は評価できる。
【０００４】
【発明が解決しようとする課題】
しかし、前出の背もたれ具の類を浴槽内に別途持ち込む形態は、これを必要としない他の入浴者には無用の長物と化し、浴槽内を徒らに狭くするだけである。それが高齢者にとって正しく使用できず、却って溺死を促すことにもなりかねない。
【０００５】
そこで本発明の目的は、浴槽本体の内面形状これ自体に改良を加え、入浴の妨げにはならずに溺死を有効に防止し得る浴槽を提供するにある。
【０００６】
【課題を解決するための手段】
本発明に係る浴槽は、図１に示すごとく浴槽本体１の背もたれとなる後側内壁面２が、後ろ上がりの傾斜面に形成されており、浴槽本体１の内底面３が、前上がりの傾斜面に形成されている。具体的には、浴槽本体１の内底面３に、左右幅方向に走る段部５が前後間にわたって所定間隔置きに突出形成されている。更に浴槽本体１の内底面３において、隣接する段部５・５間の段面３ａが水平面に形成されている。
【０００７】
または、本発明に係る浴槽は、図２に示すごとく浴槽本体１の背もたれとなる後側内壁面２が、後ろ上がりの傾斜面に形成されており、浴槽本体１の後ろ側には、後側内壁面２の下端から前方に向けて張り出し形成した半身浴用の上げ底面６が形成されており、上げ底面６の前端と、これよりも低い浴槽本体１の内底面３とが、立側壁７でつながっており、上げ底面６が、前上がりの傾斜面に形成されている。具体的には、浴槽本体１の内底面３が、前上がりの傾斜面に形成されている。更に、浴槽本体１の内底面３には、左右幅方向に走る段部５が前後間にわたって所定間隔置きに突出形成されている。
【０００８】
【発明の作用効果】
本発明によれば、後側内壁面２が後ろ上がりの傾斜面に形成されているので、入浴者が前のめりになることはない。湯船で入浴者が浴槽本体１の後側内壁面２に背もたれ状態で入浴中に失神状態に陥っても、浴槽本体１の内底面３が前上がりの傾斜面に形成されているので、入浴者の臀部が内底面３において前方の足先側にズレ動かない。従って、これら相まって入浴者の顔が湯船につかって溺死することはない。浴槽本体１の内底面３に段部５が形成されているので、入浴者が前方の足先側にズレ動くのを有効に規制できるとともに、隣接する段部５・５間の段面３ａが水平面に形成されていることと相まって、入浴者が浴槽本体１内に跨ぎ入る際などに該段部５が滑り止め機能をも有効に発揮する。
【０００９】
浴槽本体１に、後側内壁面２につながる上げ底面６が形成されている浴槽においては、入浴者が臀部を上げ底面６に載せて半身浴をしている際に失神状態に陥っても、浴槽本体１の後側内壁面２が後ろ上がり傾斜面になっているとともに、上げ底面６が前上がりの傾斜面になっているので、入浴者は背中を後側内壁面２に預けた後傾姿勢にあって前のめりになることはなく、常に入浴者の顔面は浴槽本体１の後側内壁面２の上端にあって顔が湯船につかることはないし、臀部が内底面３に滑り落ちることもない。そのうえで、浴槽本体１の内底面３が前上がり傾斜面に形成されていると、本来の入浴中に入浴者の臀部が該内底面３上にあって背中を上げ底面６の前端に預けた後傾姿勢にあるときも、入浴者が失神状態下で臀部が前方へズレ動いて溺死することをよく防止し得る。
【００１０】
【発明の実施の形態】
（第１実施例）  図１は本発明に係る浴槽の第１実施例を示す。符号１は、前後長さ寸法が左右幅寸法より大きく設定された浴槽本体である。浴槽本体１は、後側内壁面２が後ろ上がり傾斜面に形成されており、内底面３が前上がり傾斜面に形成されている。後側内壁面２の鉛直線に対する傾斜角度θ１は、１０〜２０°、具体的には約１５°に設定し、内底面３の水平線に対する傾斜角度θ２は、５〜１０°、具体的には約６°に設定してある。後側内壁面２と内底面３とは実質的に直角となるように設定されている。
【００１１】
浴槽本体１の内底面３には、左右幅方向に走る多数の段部５が前後間にわたって適当間隔置きに突出形成されており、前後に隣接する段部５・５間の段面３ａは水平面に形成されている。浴槽本体１の内底に設けるべき排水口は、内底面３の後端において左右の一端側に配する。
【００１２】
浴槽本体１の後側内壁面２は後傾しているので、入浴者は後側内壁面２に背をもたせ掛けて入浴することになる。その際に、入浴者が失神状態に陥っても、前傾姿勢になることはなく、顔面が湯船につかることはない。しかも、入浴者の臀部は内底面３の後端側にあるところ、内底面３が前上がり傾斜面になっているので、体重が加わった状態において入浴者の臀部が内底面３上を前方に向かって滑り動くことがなく、従ってこの点でも入浴者の頭部がズルズルと湯船につかり込むことがない。
【００１３】
内底面３には段部５が形成されているので、入浴者の臀部や脚部が該段部５に突っ掛かって臀部の前方への滑り移動を有効に阻止する。入浴者が浴槽本体１内に出入りする際に、段部５の介在で足裏が誤って滑ることもよく防止する。隣接する段部５・５間の段面３ａが水平面であると、足先側が滑るのをよく防止できることにもなる。
【００１４】
（第２実施例）  図２は本発明に係る浴槽の第２実施例を示す。この場合の浴槽は半身浴用になっており、浴槽本体１の後ろ側には、後側内壁面２の下端から前方に向けて張り出し形成した上げ底面６が形成されており、この上げ底面６の前端と、これより低位にある内底面３とが、立側壁７でつながっている。
【００１５】
かかる半身浴用の浴槽において、浴槽本体１の後側内壁面２が後ろ上がりの傾斜面に形成されているとともに、内底面３が前上がりの傾斜面に形成されている。内底面３には左右幅方向に走る多数の段部５が前後間にわたって適当間隔置きに突出形成されており、前後に隣接する段部５・５間の段面３ａは水平面に形成されている。この場合、後側内壁面２の鉛直線に対する傾斜角θ１は約１０°、内底面３の水平線に対する傾斜角θ２は約１０°に設定した。そして、上げ底面６の水平線に対する傾斜角θ３は約１５°に設定し、前記立側壁７の内面は後ろ上がり傾斜面に形成し、その鉛直線に対する傾斜角θ４は約１０°に設定した。
【００１６】
第２実施例の浴槽においては、入浴者が上げ底面６に腰を掛けると、半身浴になる。その際に、入浴者が失神状態に陥っても、入浴者が後側内壁面２に背もたれ状態にある限り、上げ底面６は前上がりの傾斜面になっているので、臀部が上げ底面６の前方へズレ動き難く、従って臀部が内底面３にズレ落ちて顔面が湯船につかることはない。入浴者が臀部を内底面３の後端側に載せ、背中を立側壁７を介して上げ底面６の前端にもたせ掛けた入浴中に、失神状態に陥っても、内底面３が前上がり傾斜面に形成されているので、臀部が内底面３上にあって前方へズレ動き難く、従って顔面が湯船につかることをよく防止できる。段部５は第１実施例と同様の機能を果たす。なお、第２実施例においても、浴槽本体１の内底に設けるべき排水口は、内底面３の後端において左右の一端側に設けることができる。
【００１７】
図示例の全容は以上のようになっているが、例えば排水口は内底面３の前端側に設け、内底面３上の湯水が内底面３の後端側から左右の一端側の排水路を経てて排水口より排出されるようにしてもよい。
【図面の簡単な説明】
【図１】第１実施例の縦断側面図
【図２】第２実施例の縦断側面図
【符号の説明】
１  浴槽本体
２  後側内壁面
３  内底面
３ａ  段面
５  段部
６  上げ底面
７  立側壁
【図１】
0003556876.tif 000002
【図２】
0003556876.tif 000003